(57)【要約】【課題】上下方向に伸縮可能なトーガードと称されるガードプレートをかごの下面に取り付けた構造において、固定プレートと可動プレートを板厚方向で圧接させることによって通常運転中の振動音もしくは異音の発生を防止する。【解決手段】固定プレート２ａ側の斜めのガイドスロット部１６に昇降可能に案内支持されている可動プレート２ｂが自重により下方に移動し、上部ストッパー３４が固定プレート２ａに、下部ストッパー２１が可動プレート２ｂにそれぞれ当接することによってその最下降位置が規制されている。可動プレート２ｂをその自重により常時固定プレート２ａに密着もしくは圧接させていることで、かごの昇降動作に伴う可動プレート２ｂの揺動や振動あるいは異音の発生を防止している。【選択図】図３
2005104649.tif 000002
【特許請求の範囲】
【請求項１】
エレベータのかごの正面側下面に下方に向かって突出するガードプレートを設けるとともに、このガードプレートは、かごの正面側下面に垂設された固定プレートと、この固定プレートに昇降可能に案内支持された可動プレートとで形成されていることにより、ガードプレート全体の高さ寸法が縮小可能となっている構造のエレベータのガード装置において、
固定プレートおよび可動プレートのうちいずれか一方の両側部には側面視にてかごの奥部側から正面側に向かって下り勾配となる斜めのスライド案内部が設けられているとともに、このスライド案内部に沿って可動プレートが固定プレートに対しかごの前後方向での接近離間動作を伴いながら昇降可能に案内支持されていて、
固定プレートに対する可動プレートの最下降状態では、両者の一部が互いに重なり合ったままで可動プレートがスライド案内部に圧接しつつ且つ固定プレートに圧接することによりその最下降位置が規制されるようになっていることを特徴とするエレベータのガード装置。
【請求項２】
固定プレートの両側部にはサイドフランジ部が折り曲げ形成されているとともに、
このサイドフランジ部に側面視にてかごの奥部側から正面側に向かって下り勾配となる斜めのガイドスロット部がスライド案内部として形成されていて、
このガイドスロット部に沿って可動プレートが昇降可能に案内支持されていることを特徴とする請求項１に記載のエレベータのガード装置。
【請求項３】
可動プレートの上端と固定プレートの下端をそれぞれ相手側プレートに向けて折り曲げることによりストッパーとし、上下のストッパーがそれぞれ相手側プレートと当接することによって固定プレートに対する可動プレートの最下降位置が規制されるようになっていることを特徴とする請求項１または２に記載のエレベータのガード装置。
【請求項４】
可動プレートの下端部には、可動プレートの最下端よりも下方位置を接地面とする転動体が設けられていることを特徴とする請求項１〜３のいずれかに記載のエレベータのガード装置。
【発明の詳細な説明】
【技術分野】
【０００１】
本発明は、エレベータのかごの正面側の下面にいわゆるトーガード（またはエプロン）と称されるガードプレートを設けてなるエレベータのガード装置に関し、特にガードプレートの構造として固定プレートと可動プレートを二枚重ねとしたいわゆる伸縮可能な構造を採用した場合に、かごの昇降動作に伴い上記可動プレートの揺動による異音もしくは振動音が発生するのを未然に防止したエレベータのガード装置に関するものである。
【背景技術】
【０００２】
この種の技術の代表例である特許文献１には、いわゆるトーガードと称されるガードプレートの構造として固定プレートと可動プレートを二枚重ねとして上下方向に伸縮可能な構造とし、その結果としてガードプレートの全体の高さ寸法が縮小可能となっているものが開示されている。この構造によれば、通常運転中はガードプレートが最大の高さ寸法を有していて（最大伸長状態）、例えば万が一かごの停止位置精度がばらついても、かごと乗り場の床面との間に乗り場にいるエレベータ利用者のつま先が入り得るような隙間が発生するのを未然に防止することができる。その一方、例えばガードプレートの最大高さ寸法に対してピット深さが浅く設定されていて、なお且つかごが最下降位置まで下降した場合には、可動プレートの下端がピット床面に当接することで可動プレートが相対的に押し上げられ、結果としてガードプレート全体の高さ寸法が縮小（収縮）することでガードプレートの破損を未然に防止するようになっている。
【特許文献１】特開２００２−３０２３７０号公報
【発明の開示】
【発明が解決しようとする課題】
【０００３】
しかしながら特許文献１に開示されているガード装置では、可動プレートが固定プレートに対して単に上下動可能に案内支持されているだけであるから、かごの昇降動作に伴って可動プレートが揺動もしくは振動し、固定プレートとの間で振動音もしくは異音が発生して、乗員に不快感を与えてしまうおそれがあった。
【０００４】
本発明はこのような課題に着目してなされたものであり、可動プレートを定常的に固定プレート側に密着させることによって、エレベータのかごの昇降動作に伴う可動プレートの揺動もしくは振動を抑制し、もって不快な振動音や異音の発生を未然に防止したエレベータのガード装置を提供するものである。
【課題を解決するための手段】
【０００５】
請求項１に記載の発明は、エレベータのかごの正面側下面に下方に向かって突出するガードプレートを設けるとともに、このガードプレートは、かごの正面側下面に垂設された固定プレートと、この固定プレートに昇降可能に案内支持された可動プレートとで形成されていることにより、ガードプレート全体の高さ寸法が縮小可能となっている構造のエレベータのガード装置であることを前提としている。
【０００６】
その上で、固定プレートおよび可動プレートのうちいずれか一方の両側部には側面視にてかごの奥部側から正面側に向かって下り勾配となる斜めのスライド案内部が設けられているとともに、このスライド案内部に沿って可動プレートが固定プレートに対しかごの前後方向での接近離間動作を伴いながら昇降可能に案内支持されていて、固定プレートに対する可動プレートの最下降状態では、両者の一部が互いに重なり合ったままで可動プレートがスライド案内部に圧接しつつ且つ固定プレートに圧接することによりその最下降位置が規制されるようになっていることを特徴としている。
【０００７】
スライド案内部としては、例えば請求項２に記載のように、固定プレートの両側部にサイドフランジ部を折り曲げ形成するとともに、このサイドフランジ部に側面視にてかごの奥部側から正面側に向かって下り勾配となる斜めのガイドスロット部をスライド案内部として形成し、このガイドスロット部に沿って可動プレートが昇降可能に案内支持させるものとする。もちろん、スライド案内部としてレール状のもの等を採用することも可能であるが、加工性や加工コストの面では上記のガイドスロットタイプが有利である。
【０００８】
なお、上記のスライド案内部もしくはガイドスロット部は固定プレート側ではなく可動プレート側に設けても同様の機能が発揮される。
【０００９】
また、上記可動プレートと固定プレートの相対位置関係としては、請求項３に記載のように、可動プレートの上端と固定プレートの下端をそれぞれ相手側プレートに向けて折り曲げることによりストッパーとし、上下のストッパーがそれぞれ相手側プレートと当接することによって固定プレートに対する可動プレートの最下降位置が規制されるようになっているものとする。こうすることにより、可動プレートと固定プレートが互いの面で接触するのではなく、各々のストッパーが相手側プレートと当接することによって固定プレートに対する可動プレートの最下降位置が規制される。
【００１０】
上記ストッパーに関し、上下いずれか一方のストッパーのみを相手側プレートに当接させることによっても同等の機能が発揮されるが、所期の目的および接触部の安定性確保の上では上下のストッパーをそれぞれ相手側プレートに当接させることが望ましい。
【００１１】
したがって、請求項１〜３に記載の発明では、通常運転中は可動プレートがその自重により斜めのスライド案内部もしくはガイドスロット部に沿って下降していて、ガードプレート全体として最大伸長状態にある。この最大伸長状態では、スライド案内部もしくはガイドスロット部が斜めであるために、可動プレートの自重が固定プレートとの接近離間方向（かごの前後方向）での相互圧接力に変換されて、可動プレートが斜めのスライド案内部もしくはガイドスロット部に圧接したままで、固定プレートと可動プレートが直接圧接するか、もしくは上下のストッパーが相手側プレートに圧接することで固定プレートに対する可動プレートの最下降位置が規制されて、可動プレートはその位置に保持されている。
【００１２】
この状態は、固定プレートの縦壁面と斜めのスライド案内部もしくはガイドスロット部とのなすいわゆるくさび状空間に固定プレートが挟まれていて、固定プレートの縦壁面と斜めのスライド案内部もしくはガイドスロット部の双方に対し、可動プレート自体がその自重をもって圧接している状態にほかならない。
【００１３】
このように、通常運転中は可動プレートが固定プレート側の上記くさび状空間に挟み込まれていて、固定プレートと可動プレートとのかごの前後方向での相互圧接力が作用していることで、かごの昇降動作に伴う可動プレートの揺動が抑制され、その結果として振動音もしくは異音の発生を防止できることになる。
【００１４】
請求項４記載の発明は、可動プレートの下端部には、可動プレートの最下端よりも下方位置を接地面とする転動体が設けられていることを特徴としている。
【００１５】
ここでの転動体は、かごの前後方向における固定プレートと可動プレートとの接近離間動作に追従できるような回転可能なローラを想定しており、より好ましくは可動プレートがピット床面に当接した際の衝撃を緩和するために、少なくとも表面がゴム等の弾性体で被覆されたゴムローラを用いるものとする。
【００１６】
先に説明した請求項１〜３に記載の発明では、ガードプレートの最大高さ寸法に対してピット深さが浅く設定されていて、なお且つかごが最下降位置まで下降した場合には、可動プレートの下端がピット床面に当接することになる。そして、可動プレートがピット床面からの押し上げる力を受けて相対的に上昇移動するのに伴い、スライド案内部もしくはガイドスロット部が斜めであるために、同時に可動プレートはピット床面に接触したままかごの正面側から奥部側に向かって水平方向に移動するいわゆる引きずり現象によってピット床面に傷を付けてしまう可能性がある。
【００１７】
これを解消したのが請求項４に記載の発明であり、可動プレートの下端がピット床面に当接した場合に、固定プレートに対する可動プレートの上昇移動に伴い両者がかごの前後方向に相対移動するのをスムーズに許容し、ガードプレートが破損したり、ピット床面に傷をつけてしまうこともなくなる。
【発明の効果】
【００１８】
請求項１〜３に記載の発明によれば、エレベータの通常運転中すなわち上記ガードプレートが最大の高さ寸法を保っている状態にあるかぎりは、可動プレートが固定プレート側のいわゆるくさび状空間に挟み込まれていて、固定プレートと可動プレートのかごの前後方向での相互圧接力が作用しているので、可動プレートが揺動もしくは振動することがなくなり、振動音もしくは異音の発生を未然に防止することができる。
【００１９】
また請求項４に記載の発明によれば、可動プレートの下端部に転動体を設けることによって、万が一ガードプレートがピット床面に当接した場合のガードプレートの破損や、ピット床面の損傷を未然に防止することができる。
【発明を実施するための最良の形態】
【００２０】
図１以下の図は、本発明に係るガード装置の好ましい実施の形態を示したものであり、特に図１はガード装置を含むエレベータのかご全体を透視図的な斜視図として示している。また、図２の（Ａ）はガード装置の主要素であるガードプレート２の最大伸長状態での正面側斜視図を、図２の（Ｂ）は同ガードプレート２の背面側斜視図を、図３は図２の（Ａ）の側面図を、図４はガードプレート２の分解図をそれぞれ示している。
【００２１】
図１に示すように、トーガードと称されるガードプレート２がエレベータのかご１の正面側下面（かごの戸３の敷居となる部分の直下）に設置され、下方に向かって鉛直姿勢で突出している。ガードプレート２はかご１が所定の停止階で停止した際に、万が一停止位置誤差によりかごの床４が乗り場の床５よりも高い位置にある状態で乗り場の戸６が開いた場合において、双方の床４，５同士の段差部分に隙間が発生するのを防止するためのものである。
【００２２】
ガードプレート２は、図２，３に示すように、かご１の正面側下面に垂設されている固定プレート２ａと、固定プレート２ａに対して重なり合うようにしてこの固定プレート２ａに昇降可能に案内支持されている可動プレート２ｂから構成され、ガードプレート２全体としてはその高さ寸法が縮小可能すなわち上下方向で伸縮可能な構造となっている。
【００２３】
固定プレート２ａには、斜め上方向に伸びている２本のブラケット１１が添設されているとともに、上端に３つの取付穴１３が形成されていて、ブラケット１１の上端に形成された取付穴１４と３つの取付穴１３とをもってかご１の正面側下面にねじ締め固定されている。
【００２４】
そして、固定プレート２ａの両側はサイドフランジ部１５として略直角に折り曲げ形成されており、そのサイドフランジ部１５にスライド案内部であるガイドスロット部１６がかご１の奥部側から正面側に向かって下り勾配となるように斜めに形成されている。このガイドスロット部１６には後述するように可動プレート２ｂの幅方向両端部が係合していて、これにより固定プレート２ａに対して可動プレート２ｂがガイドスロット部１６に沿って昇降可能に且つかご１の前後方向に接近離間可能に案内支持されている。
【００２５】
また、固定プレート２ａの両側に形成したサイドフランジ部１５の下半部を更に略直角に折り曲げることによって左右の補助フランジ部１７を形成し、これらの左右の補助フランジ部１７同士をアングル状の２本の補強バー１８とボルト・ナット１９とをもって相互に連結してある。これによって、固定プレート２ａの剛性を確保している。
【００２６】
固定プレート２ａの下端部にはフランジ状の下部ストッパー２１が段差をもって折り曲げ形成され、同様に可動プレート２ｂの上端部には上部ストッパー３４が折り曲げ形成されており、図３に示すように上下のストッパー３４，２１がそれぞれ相手側プレートに当接することによって固定プレート２ａに対する可動プレート２ｂの最下降位置が規制されている。
【００２７】
また、図４に示すように、可動プレート２ｂにはその長手方向（幅方向）に沿って平板状のガイドプレート３０が４組のボルト・ナット３１にてねじ締め固定されている。このガイドプレート３０は可動プレート２ｂ自体の幅寸法よりも所定量だけ長く設定されているとともに、固定プレート２ａ側のガイドスロット部１６と同じ勾配を有していて、ガイドプレート３０の長手方向両端部のスライド部３２を上記ガイドスロット部１６に係合させてある。これにより固定プレート２ａに対して可動プレート２ｂがガイドスロット部１６に沿って昇降可能に且つかご１の前後方向に接近離間可能に案内支持されている。
【００２８】
なお、サイドスロット部１６に沿ってガイドプレート３０がスムーズに昇降できるようにそのガイドプレート３０の板厚はサイドスロット部１６のスロット幅よりも小さく形成されている。
【００２９】
そして、図３に示したように、ガイドスロット部１６とスライド部３２との係合によって固定プレート２ａに対し可動プレートが昇降可能になってはいても、上下のストッパー３４，２１がそれぞれ相手側となる固定プレート２ａもしくは可動プレート２ｂに当接することで可動プレート２ｂの最下降位置が規制されている。なお、上部ストッパー３４は、可動プレート２ｂの上端部において長手方向の両端部のみに形成されており、それ以外は隙間としてのクリアランスＤが確保されている。
【００３０】
図２のほか図５に拡大して示すように、左右のスライド部３２にはアングル状のブラケット４１および２組のボルト・ナット４０，４２を介して同じくアングル状のエクステンションアーム４３が鉛直姿勢にて連結されている。各エクステンションアーム４３の下端には転動体であるゴムローラ４４がボルト・ナット４５にて回転可能に取り付けられている。なお、このゴムローラ４４は、後述するようにそれ自体がピット床面に当接した場合にかご１の前後方向での固定プレート２ａと可動プレート２ｂの相互接近離間動作を補助するものであるから、そのゴムローラ４４の円筒外周面である接地面は可動プレート２ｂ自体の最下端よりも下方位置となるように設定されているとともに、ゴムローラ４４の回転中心はかご１の幅方向を指向するように設定してある。
【００３１】
したがって、このように構成されたガード装置によれば、図３に示すようにガードプレート２の最大伸長状態（最大の高さ寸法を有している状態）では、可動プレート２ｂは自重によりガイドスロット部１６に沿って固定プレート２ａの下部まで滑り落ちていて、固定プレート２ａの下端部に形成された下部ストッパー２１が可動プレート２ｂに、可動プレート２ｂの上端部に形成された上部ストッパー３４が固定プレート２ａにそれぞれ当接することによって、固定プレート２ａと可動プレート２ｂが一部重なり合いながら可動プレート２ｂが静止している。すなわち、固定プレートに対して可動プレート２ｂがその最下降位置に保持されている。
【００３２】
なお、この状態においても、ガイドスロット部１６に係合しているスライド部３２はそのガイドスロット部１６の最下端には当接しておらず、ガイドスロット部１６の下端部にはなおも可動プレート２ｂが下降し得るだけの微小ストロークが残されている。
【００３３】
この状態では、可動プレート２ｂが固定プレート側の斜めのガイドスロット部１６に案内支持されていることから、可動プレート２ｂにはその自重をもって常に固定プレート２ａに密着しようとする圧接力が作用しており、実質的に可動プレート２ｂはその自重により固定プレート２ａの縦壁面と斜めのガイドスロット部１６とのいわゆるくさび状空間に挟み込まれていて、その可動プレート２ｂはガイドスロット部１６に圧接しながら同時に固定プレート２ａにも圧接している。
したがって、たとえかご１が昇降動作したとしてもそれに伴って可動プレート２ｂが揺動したり振動することがなく、ガードプレート２に起因する振動音や異音の発生を未然に防止できることになる。
【００３４】
特に上部ストッパー３４が固定プレート２ａに、下部ストッパー２１が可動プレート２ｂにそれぞれ圧接した状態において、上下のストッパー３４，２１そのものや相手側となるプレート（固定プレート２ａもしくは可動プレート２ｂ）の一部がその自己弾性力によりわずかに撓むことにより、可動プレート２ｂがその自重のためにさらに一段下降して、上記のいわゆるくさび状空間に対する可動プレート２ｂの落ち込みを助長し、以降も可動プレート２ｂには上記くさび状空間での落ち込みを一段と助長するような力が常時作用していることになる。これにより、固定プレート２ａと可動プレート２ｂとの圧接力もしくは密着力が一段と大きくなり、可動プレート２ｂの揺動防止効果ひいては固定プレート２ａと可動プレート２ｂとの間の振動や異音発生防止効果の上で一段と有利となる。
【００３５】
上記の構造において、下部ストッパー２１もしくは上部ストッパー３４のどちらか一方のみが相手側プレートに当接した場合であっても、可動プレート２ｂの最下降位置を規制する機能および可動プレート２ｂの揺動を防止する機能を有するが、サイドスロット部１６に案内支持されるガイドプレート３０をはさんでその上下二箇所にストッパー２１，３４を設けることによってより可動プレート２ｂの揺動防止効果が一段と顕著となる。
【００３６】
一方、ガードプレート２の最大高さ寸法に対してピット深さが浅く設定されていて、なお且つかご１が最下降位置まで下降したような場合には、図６の（Ａ）に示すように可動プレート２ｂの下端のゴムローラ４４がピット床面６０に当接して、同図（Ｂ）に示すように固定プレート２ａに対して可動プレート２ｂを相対的に押し上げ、ガードプレート２全体が収縮状態となる。この時には、可動プレート２ｂはガイドスロット部１６に沿って上昇しながら、同時にゴムローラ４４の転動によって上下のストッパー３４，２１が相手側プレートから離間する方向すなわちかご１の奧部側に水平移動することになる。これにより、ガードプレート２がスムーズに図６の（Ｂ）に示すような収縮状態となって、ピット床面６０に当接したことによるガードプレート２の破損が未然に防止される。
【００３７】
その上、ピット床面６０へのガードプレート２の当接の際にはゴムローラ４４のみが直接当接することになるので、当接初期の衝撃がゴムローラ４４によって吸収，緩和される。さらに、可動プレート２ｂの上昇に伴うその可動プレート２ｂの水平移動動作すなわち固定プレート２ａと可動プレート２ｂとの接近離間動作はゴムローラ４４の転動を伴いながら行われるので、例えばゴムローラ４４がなく可動プレート２ｂの一部が直接ピット床面６０に当接した場合のように、可動プレート２ｂの上昇動作に伴う水平方向へのいわゆる引きずり現象によってピット床面６０に傷を付けてしまうこともない。
【００３８】
このように本実施の形態によれば、伸縮可能な構造としたガードプレート２に起因してかご１の昇降動作に伴って振動や異音が発生するのを未然に防止することができるとともに、万が一ガードプレート２がピット床面６０に当接したとしてもガードプレート２自体の破損やピット床面６０の傷付きを未然に防止することができる。
【図面の簡単な説明】
【００３９】
【図１】本発明の好ましい実施の形態としてトーガードと称されるガード装置を備えたエレベータのかごの全体構成を示す透視斜視図である。
【図２】（Ａ）はガード装置の主要素であるガードプレートの正面側斜視図、（Ｂ）は同ガードプレートの背面側斜視図である。
【図３】図２に示すガードプレートの拡大側面図である。
【図４】図２に示すガードプレートの分解斜視図である。
【図５】図２の（Ｂ）におけるＣ部拡大図である。
【図６】ガードプレートがピット床面に当接した時の作動説明図で、（Ａ）は当接初期段階の側面説明図、（Ｂ）は同ガードプレートの収縮状態での側面説明図である。
【符号の説明】
【００４０】
１・・・かご
２・・・ガードプレート
２ａ・・・固定プレート
２ｂ・・・可動プレート
１５・・・サイドフランジ部
１６・・・サイドスロット部（スライド案内部）
２１・・・下部ストッパー
３０・・・ガイドプレート
３２・・・スライド部
３４・・・上部ストッパー
４４・・・ゴムローラ（転動体）
【図１】
2005104649.tif 000003
【図２】
2005104649.tif 000004
【図３】
2005104649.tif 000005
【図４】
2005104649.tif 000006
【図５】
2005104649.tif 000007
【図６】
2005104649.tif 000008